(57)【特許請求の範囲】
【請求項１】
マスタユニットに送出する信号の設定を行うマスタ設定スイッチと、送り返し信号の設定を行う複数の送り返し設定スイッチと、出力操作を行うフェーダーとを有する複数の入力ユニットと、
前記複数の入力ユニットのうちそれぞれ所定の入力ユニットに接続されオーディオ信号を送出する複数の収録先と、
前記マスタユニットには前記マスタ設定スイッチがオンに設定された入力ユニットからの信号が入力され、かつこのマスタユニットからの信号を受信しオンエア信号を送出する送出設備と、
この送出設備からのオンエア信号と前記送り返し設定スイッチがオンに設定された前記入力ユニットからの信号とがそれぞれ供給され、前記オンエア信号と前記入力ユニットの信号とを選択的に前記複数の収録先に供給する複数の切換手段と、
この切換手段を切り換える制御手段とを備え、
前記複数の収録先と各入力ユニットにある前記複数の送り返し設定スイッチと前記複数の切換手段とはそれぞれ対応して設けられ、
前記制御手段は収録時の収録先からの出力が供給される前記入力ユニットの出力を各入力ユニットにあるフェーダを介し前記マスタユニットに対して信号を出力する操作が行われ、その入力ユニットの送り返し設定がオフの時、その送り返し設定スイッチに対応する切換手段を切り換え、収録時の収録先に前記オンエア信号を送出しないようにすることを特徴とするミキシング装置の送り返し回路。
【発明の詳細な説明】
【０００１】
【発明の属する技術分野】
本発明は各種放送用、レコーディング用スタジオ等において、オーディオ信号の制御用に使用されるミキシング装置に関し、詳しくはスタジオモニタの送り返し回路に関する。
【０００２】
【従来の技術】
複数のスタジオ等の収録先４ａ，４ｂ，４ｃから収録したオーディオ信号をミキシングし、放送等を行う場合、各収録先４ａ，４ｂ，４ｃにその音声を送り返し、その放送等の内容を演奏者や出演者に知らせる必要がある。このため、各収録先４ａ，４ｂ，４ｃのモニタスピーカＳＰに対し放送内容を送出する必要があるが、放送用等の出力となる送出設備６からの出力信号をそのまま送り返したのでは、その出力信号の中に送り返される収録先４ｂからのオーディオ信号も含まれているため、その音が収録先４ｂのマイクに再び入力され、いわゆる音の回り込みやハウリングといった現象が生じてしまう。そこで従来より送出設備６から出力されるオンエア中であることを示す制御信号８を認識して、その収録先４ｂからの信号を除いた信号を各収録先４ａ，４ｂ，４ｃへ送り返すといった作業が行われていた。
【０００３】
図２はこのような従来の送り返し回路の一例を示したもので、１は入力ユニット、２はマスターユニット、４はスタジオ４ａ，４ｂや中継局４ｃ等の収録先、５はテープレコーダである。そして、送り返しユニットにはオンエア信号の送り返し、つまりオンエア入力と入力ユニット１からの信号を切り換える切換手段３ｄがあり、この切換手段３ｄを用いて上記のような切り換えが行われていた。なお、図中７はミキシングコンソールである。
【０００４】
【発明が解決しようとする課題】
しかしながら、オンエア中の状態でも各収録先４ａ，４ｂ，４ｃで収録が行われない、つまり待機状態の時には、送出設備６からの信号にはその収録先からの信号が含まれていない。つまり、入力ユニット１のフェーダを絞るためその入力ユニットからの信号は入力されていない。このため、送出設備６からの信号、つまりオンエア信号をモニタしても問題はなく、実際の放送等に使用されるオンエア信号を直接モニタできるため、この送出設備６からの信号をモニタした方が確実で便利である。
【０００５】
従って、その収録先４ｂで演奏中等の収録時には、その収録先４ｂ以外のオーディオ信号（４ａ，４ｃ）を送り返し、その収録先４ｂが待機状態の時には、送出設備６からの出力信号を送り返すことで確実なモニタが可能となる。しかしながら、このような切り換え操作を前記入力ユニットと送り返しユニットの切換手段３ｄで一々行うことは非常に煩雑であり、操作ミスにより音の回り込み等を生じる恐れもある。
【０００６】
この発明はかかる点に鑑みなされたもので、その目的とするところは、収録時には、その収録先４ｂ以外のオーディオ信号を送り返し、その収録先４ｂが待機状態の時には、送出設備６からの出力信号を送り返すための切換を自動的に行い、便利で確実なモニタを可能とするミキシング装置の送り返し回路を提供することにある。
【０００７】
【課題を解決するための手段】
本発明は、マスタユニットに送出する信号の設定を行うマスタ設定スイッチと、送り返し信号の設定を行う複数の送り返し設定スイッチと、出力操作を行うフェーダーとを有する複数の入力ユニットと、前記複数の入力ユニットのうちそれぞれ所定の入力ユニットに接続されオーディオ信号を送出する複数の収録先と、前記マスタユニットには前記マスタ設定スイッチがオンに設定された入力ユニットからの信号が入力され、かつこのマスタユニットからの信号を受信しオンエア信号を送出する送出設備と、この送出設備からのオンエア信号と前記送り返し設定スイッチがオンに設定された前記入力ユニットからの信号とがそれぞれ供給され、前記オンエア信号と前記入力ユニットの信号とを選択的に前記複数の収録先に供給する複数の切換手段と、この切換手段を切り換える制御手段とを備え、前記複数の収録先と各入力ユニットにある前記複数の送り返し設定スイッチと前記複数の切換手段とはそれぞれ対応して設けられ、前記制御手段は収録時の収録先からの出力が供給される前記入力ユニットの出力を各入力ユニットにあるフェーダを介し前記マスタユニットに対して信号を出力する操作が行われ、その入力ユニットの送り返し設定がオフの時、その送り返し設定スイッチに対応する切換手段を切り換え、収録時の収録先に前記オンエア信号を送出しないようにすることを特徴とする。
【０００８】
【発明の実施の形態】
次に図を参照しつつ本発明の実施の形態について説明する。図１は本発明にかかるミキシング装置の送り返し回路の構成を示すブロック図である。図において７はミキシングコンソール、２はマスタユニット、３は切換手段３ａ〜３ｃを含む送り返しユニット、４は収録先、５はテープレコーダ、６は送出設備である。
【０００９】
また、ミキシングコンソール７には各入力ユニットＵ１〜Ｕｎもしくはマスタ（ＭＡＳＴＥＲ）ユニット、送り返しユニット３と、その内部に図示しない制御手段を有する。収録先４は中継局４ａや第１のスタジオ４ｂ、第２のスタジオ４ｃ等から成る。前記各入力ユニットＵ１〜Ｕｎにはマスタ設定スイッチＭＳＷと各収録先４ａ〜４ｃに対応した送り返し設定スイッチＢＳＷ１〜３が設けられている。
【００１０】
しかして、ミキシングコンソール７の各入力ユニットＵ１〜Ｕｎには中継局４ａ、第１、第２のスタジオ４ｂ，４ｃ内のマイクＭＣあるいはテープレコーダＴＲ等からのオーディオ信号がそれぞれ入力される。そして、この入力ユニットＵ１〜Ｕｎでレベル調整等の処理が行われる。この各入力ユニットＵ１〜Ｕｎからはマスタ設定スイッチＭＳＷを介して送出設備６に対し、入力したオーディオ信号を送出する。
【００１１】
また、各入力ユニットＵ１〜Ｕｎからは、各収録先４ａ〜４ｃに対応した送り返し設定スイッチＢＳＷ１〜３を介して、それぞれの対応する切換手段３ａ〜３ｃに送り返し信号が送出される。この各切換手段３ａ〜３ｃには送出設備６からの出力、つまりオンエア信号がそれぞれ入力されていて、通常はこの送出設備６側つまりオンエア信号を送出するように接続されている。切換手段３ａ〜３ｃの出力は対応する各収録先４ａ〜４ｃに接続され、内部のモニタスピーカＳＰ等によりオンエア信号あるいは送り返し信号をモニタできるようになっている。
【００１２】
ミキシングコンソール７内の制御手段は、このミキシングコンソール７におけるスイッチ等の操作を監視する。そして、各入力ユニットＵ１〜Ｕｎの出力をマスタユニットに対し送出する操作（例えばフェーダー等による操作）が行われた場合には、その入力ユニットに対応する前記切換手段を送り返し設定スイッチＢＳＷから送出された送り返し信号側に切り換える。
【００１３】
次に、より具体的な動作例について説明する。図１において、各入力ユニットＵ１〜Ｕｎのマスタ設定スイッチＭＳＷおよび送り返し設定スイッチＢＳＷ１〜３は白がオフ、黒がオンを示している。ここでは、収録先４の第１のスタジオ４ｂに関する動作について説明することとする。
【００１４】
中継局からの出力が入力される入力ユニットＵ１のマスタ設定スイッチＭＳＷはオン、送り返し設定スイッチＢＳＷ１はオフ、ＢＳＷ２はオン、ＢＳＷ３はオンである。第１のスタジオ４ｂからのマイクＭＣ出力が入力される入力ユニットＵ２〜Ｕ５のマスタ設定スイッチＭＳＷはオン、送り返し設定スイッチＢＳＷ１はオン、ＢＳＷ２はオフ、ＢＳＷ３はオンである。第２のスタジオ４ｃからのマイクＭＣ出力が入力される入力ユニットＵ６〜Ｕ９のマスタ設定スイッチＭＳＷはオン、送り返し設定スイッチＢＳＷ１はオン、ＢＳＷ２はオン、ＢＳＷ３はオフである。送り返し信号の必要ない、テープレコーダＴＲからの出力が入力される入力ユニットＵｎのマスタ設定スイッチＭＳＷはオン、送り返し設定スイッチＢＳＷ１はオン、ＢＳＷ２はオン、ＢＳＷ３はオンである。
【００１５】
このように、各入力ユニットＵ１〜Ｕ９には各収録先４ａ，４ｂ，４ｃに対応して送り返し設定スイッチＢＳＷ１，ＢＳＷ２，ＢＳＷ３が設けられ、その収録先４ｂの出力が入力される入力ユニットＵ２〜Ｕ５の送り返し設定スイッチＢＳＷ２はオフにして送り返し信号の中にその収録先４ｂの信号が入らないようにする。なお、マスタユニット２への出力には、この例では全ての入力信号が含まれるので、全ての入力ユニットＵ１〜Ｕｎのマスタ設定スイッチＭＳＷはオンとなっている。
【００１６】
前記第１のスタジオ４ｂに対応した送り返し設定スイッチＢＳＷ２の出力は対応する切換手段３ｂに入力されている。この切換手段３ｂには送出設備６からの信号も入力されていて、通常（待機時）はこの送出設備６からの信号を出力するように切り換えられている。また、この切換手段３ｂには入力ユニット１に対応した制御手段からの制御信号も入力されている。そして、入力ユニット１の各入力ユニットＵ２〜Ｕ５の出力を送出設備６に対して送出する操作（フェーダー等による）が行われたと判断すると、前記切換手段を送り返し信号を出力するように切り換える。
【００１７】
このようにして、自動的にある収録先４ｂで演奏中等の収録時には、その収録先以外４ａ、４ｃ、５のオーディオ信号を送り返し、その収録先４ｂが待機状態の時には、送出設備６からの出力信号を送り返す操作が行われる。なお、この例では各入力ユニットＵ１〜Ｕｎから直接送出設備６に接続しているが如く説明したが、本発明を明確にすべく省略したまでであって、実際にはインサーション回路、グループユニット等必要な回路、装置を経て送出設備６に接続される。
【００１８】
【発明の効果】
以上のように本発明によれば、収録時には、その収録先以外のオーディオ信号を送り返し、その収録先が待機状態の時には、マスタユニットからの出力信号を送り返すための切換を自動的に行っているので、
各収録先で便利かつ確実なモニタが可能となった。
【図面の簡単な説明】
【図１】本発明にかかるミキシング装置の送り返し回路の基本構成を示すブロック図である。
【図２】従来例を示した図である。
【符号の説明】
１    入力ユニット
２    マスタユニット
３    送り返しユニット
３ａ、３ｂ、３ｃ  切換手段
３ｄ  切換手段
４    収録先
４ａ、４ｂ、４ｃ  収録先
５    テープレコーダ
６    送出設備
７    ミキシングコンソール
ＭＳＷ  マスタ設定スイッチ
ＢＳＷ  送り返し設定スイッチ
【図１】
0003821242.tif 000002
【図２】
0003821242.tif 000003